(57)【特許請求の範囲】
【請求項１】
ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップに設けられ、ディスク状記録媒体の記録面にレーザー光が集光するようにフォーカシング調整及びトラッキング調整を行う対物レンズ駆動装置であって、
上記移動ベースに取り付けられるベース部と該ベース部から対物レンズの光軸方向へ突出して設けられた支持軸部とを有する固定部と、
上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、
該可動部はフォーカシング調整時に駆動電流が供給されるフォーカシングコイルとトラッキング調整時に駆動電流が供給されるトラッキングコイルとを有し、
上記固定部にフォーカシングコイル及びトラッキングコイルに対向して配置されるマグネットが取り付けられ、
上記固定部と上記可動部にそれぞれフレキシブルプリント配線板の一部が取り付けられると共に上記フォーカシングコイル及び上記トラッキングコイルに電流供給手段から駆動電流が上記フレキシブルプリント配線板を介して供給されると共に、上記マグネットに引き寄せられて上記可動部をフォーカシング方向及びトラッキング方向における中立位置にそれぞれ保持する磁性部材を設け、
上記固定部と上記可動部とを繋ぐ中継部の幅方向が、上記フォーカシング方向と異なり、かつ、トラッキング方向と異なる方向に配され、
上記フォーカシングコイルに駆動電流が供給されていないときに上記磁性部材による力と重力と上記フレキシブルプリント配線板の弾性力との釣合による上記可動部の上記固定部に対するフォーカシング方向における釣合位置を、上記可動部が上記支持軸部に対して常に一定の方向へ傾斜した状態に設定されている
ことを特徴とする対物レンズ駆動装置。
【請求項２】
上記フレキシブルプリント配線板の中継部の幅方向をフォーカシング方向に直交し、かつ、トラッキング方向に直交する方向とした
ことを特徴とする請求項１に記載の対物レンズ駆動装置。
【請求項３】
上記フレキシブルプリント配線板の中継部を分岐して第１の中継部と第２の中継部として設け、
対物レンズの光軸と支持軸部の中心軸とを含む平面を基準として第１の中継部と第２の中継部とを対称に配置した
ことを特徴とする請求項１に記載の対物レンズ駆動装置。
【請求項４】
上記フレキシブルプリント配線板の中継部を分岐して第１の中継部と第２の中継部として設け、
対物レンズの光軸と支持軸部の中心軸とを含む平面を基準として第１の中継部と第２の中継部とを対称に配置した
ことを特徴とする請求項２に記載の対物レンズ駆動装置。
【請求項５】
フレキシブルプリント配線板の第１の中継部又は第２の中継部の一方にトラッキングコイルに駆動電流を供給するためのトラッキングコイル用回路パターンを形成し、
第１の中継部又は第２の中継部の他方にフォーカシングコイルに駆動電流を供給するためのフォーカシングコイル用回路パターンを形成した
ことを特徴とする請求項３に記載の対物レンズ駆動装置。
【請求項６】
フレキシブルプリント配線板の第１の中継部又は第２の中継部の一方にトラッキングコイルに駆動電流を供給するためのトラッキングコイル用回路パターンを形成し、
第１の中継部又は第２の中継部の他方にフォーカシングコイルに駆動電流を供給するためのフォーカシングコイル用回路パターンを形成した
ことを特徴とする請求項４に記載の対物レンズ駆動装置。
【請求項７】
ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップを備え、該光学ピックアップに設けられた対物レンズ駆動装置によってディスク状記録媒体の記録面にレーザー光が集光するようにフォーカシング調整及びトラッキング調整が行われるディスクドライブ装置であって、
上記対物レンズ駆動装置は、
上記移動ベースに取り付けられるベース部と該ベース部から対物レンズの光軸方向へ突出して設けられた支持軸部とを有する固定部と、
上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、
該可動部はフォーカシング調整時に駆動電流が供給されるフォーカシングコイルとトラッキング調整時に駆動電流が供給されるトラッキングコイルとを有し、
上記固定部にフォーカシングコイル及びトラッキングコイルに対向して配置されるマグネットが取り付けられ、
上記固定部と上記可動部にそれぞれフレキシブルプリント配線板の一部が取り付けられると共に上記フォーカシングコイル及び上記トラッキングコイルに電流供給手段から駆動電流が上記フレキシブルプリント配線板を介して供給されると共に、上記マグネットに引き寄せられて上記可動部をフォーカシング方向及びトラッキング方向における中立位置にそれぞれ保持する磁性部材を設け、
上記固定部と上記可動部とを繋ぐ中継部の幅方向が、上記フォーカシング方向と異なり、かつ、トラッキング方向と異なる方向に配され、
上記フォーカシングコイルに駆動電流が供給されていないときに上記磁性部材による力と重力と上記フレキシブルプリント配線板の弾性力との釣合による上記可動部の上記固定部に対するフォーカシング方向における釣合位置を、上記可動部が上記支持軸部に対して常に一定の方向へ傾斜した状態に設定されている
ことを特徴とするディスクドライブ装置。
【請求項８】
上記フレキシブルプリント配線板の中継部の幅方向をフォーカシング方向に直交し、かつ、トラッキング方向に直交する方向とした
ことを特徴とする請求項７に記載のディスクドライブ装置。
【請求項９】
上記フレキシブルプリント配線板の中継部を分岐して第１の中継部と第２の中継部として設け、
対物レンズの光軸と支持軸部の中心軸とを含む平面を基準として第１の中継部と第２の中継部とを対称に配置した
ことを特徴とする請求項７に記載のディスクドライブ装置。
【請求項１０】
上記フレキシブルプリント配線板の中継部を分岐して第１の中継部と第２の中継部として設け、
対物レンズの光軸と支持軸部の中心軸とを含む平面を基準として第１の中継部と第２の中継部とを対称に配置した
ことを特徴とする請求項８に記載のディスクドライブ装置。
【請求項１１】
フレキシブルプリント配線板の第１の中継部又は第２の中継部の一方にトラッキングコイルに駆動電流を供給するためのトラッキングコイル用回路パターンを形成し、
第１の中継部又は第２の中継部の他方にフォーカシングコイルに駆動電流を供給するためのフォーカシングコイル用回路パターンを形成した
ことを特徴とする請求項９に記載のディスクドライブ装置。
【請求項１２】
フレキシブルプリント配線板の第１の中継部又は第２の中継部の一方にトラッキングコイルに駆動電流を供給するためのトラッキングコイル用回路パターンを形成し、
第１の中継部又は第２の中継部の他方にフォーカシングコイルに駆動電流を供給するためのフォーカシングコイル用回路パターンを形成した
ことを特徴とする請求項１０に記載のディスクドライブ装置。
【発明の詳細な説明】
【０００１】
【発明の属する技術分野】
本発明は対物レンズ駆動装置及びディスクドライブ装置に関する。詳しくは、対物レンズを有する可動部が支持軸部に回動自在かつ摺動自在に支持された対物レンズ駆動装置及び該対物レンズ駆動装置を備えたディスクドライブ装置についての技術分野に関する。
【０００２】
【従来の技術】
光ディスク等のディスク状記録媒体に対して情報信号の記録や再生を行うディスクドライブ装置があり、このようなディスクドライブ装置には、支持軸部にその軸回り方向に回動自在かつ軸方向に摺動自在に支持された可動部を動作させて、ディスク状記録媒体に照射されるレーザー光のフォーカシング調整及びトラッキング調整を行う対物レンズ駆動装置が設けられているものがある。
【０００３】
このような従来の対物レンズ駆動装置を図１９及び図２０に示す。
【０００４】
対物レンズ駆動装置ａは、磁性金属材料によって形成された固定部ｂと該固定部ｂに支持された可動部ｃとを備えている。
【０００５】
固定部ｂは、ベース部ｄと該ベース部ｄの両側縁から立ち上げられたヨーク部ｅ、ｅとベース部ｄの略中央部から上方へ突出された支持軸部ｆとを有している。ヨーク部ｅ、ｅの内面には、それぞれマグネットｇ、ｇが取り付けられている。
【０００６】
可動部ｃはボビンｈに所要の各部材が取り付けられて成る。
【０００７】
ボビンｈは本体部ｉと該本体部ｉから前方へ突出されたレンズホルダー部ｊとを有している。本体部ｉの略中央部には下方へ突出された円筒状を為す被支持筒部ｋが設けられている。レンズホルダー部ｊには対物レンズｌが保持されている。
【０００８】
ボビンｈには、コイル体ｍが取り付けられている。コイル体ｍは軸方向が上下となるように略角筒状に巻回されたフォーカシングコイルｎの両側部にそれぞれ前後に隣接した状態で２つずつのトラッキングコイルｏ、ｏ、・・・が取り付けられて成る。
【０００９】
ボビンｈの被支持筒部ｋには、磁性金属材料によって形成された磁性部材ｐが取り付けられている。磁性部材ｐは可動部ｃをフォーカシング方向及びトラッキング方向における中立位置に保持する役割を果たすものである。
【００１０】
可動部ｃは固定部ｂの支持軸部ｆが被支持筒部ｋに挿入されることにより、支持軸部ｆに、その軸方向に摺動自在かつ軸回り方向に回動自在に支持されている。支持軸部ｆの軸方向がディスク状記録媒体に対してフォーカシング調整が為されるフォーカシング方向であり、ディスク状記録媒体の略半径方向がディスク状記録媒体に対してトラッキング調整が為されるトラッキング方向である。
【００１１】
可動部ｃが支持軸部ｆに支持された状態においては、フレキシブルプリント配線板ｑの一端部ｒがボビンｈの後面部に取り付けられ、フレキシブルプリント配線板ｑの中間部ｓが固定部ｂのベース部ｄの下面に取り付けられる（図２０参照）。フレキシブルプリント配線板ｑの図示しない他端部は、図示しない電流供給回路に接続されている。フレキシブルプリント配線板ｑは、固定部ｂと可動部ｃを繋ぐ部分である中継部ｔの幅方向が、トラッキング方向に一致するようにされている。
【００１２】
ボビンｈに取り付けられたフレキシブルプリント配線板ｑの一端部ｒはフォーカシングコイルｎ及びトラッキングコイルｏ、ｏ、・・・に電気的に接続され、電流供給回路からフレキシブルプリント配線板ｑを介してフォーカシングコイルｎ及びトラッキングコイルｏ、ｏ、・・・に各別に電流が供給される。
【００１３】
このような可動部ｃが支持軸部ｆに支持された軸摺動型の対物レンズ駆動装置ａは、可動部が固定部に対してサスペンションによって支持されているタイプの対物レンズ駆動装置に比して、可動部ｃの重量バランスが良好であるため、フォーカシング方向に直交する方向における耐振動性に優り、自重による可動部ｃの変位が小さい等の長所を有する。
【００１４】
【発明が解決しようとする課題】
ところが、上記した従来の対物レンズ駆動装置ａにあっては、フレキシブルプリント配線板ｑの中継部ｔの幅方向が、トラッキング方向に一致するようにして固定部ｂと可動部ｃとに取り付けられている。
【００１５】
従って、可動部ｃがトラッキング方向に動作されるときに、フレキシブルプリント配線板ｑの剛性によって可動部ｃに大きな負荷がかかり易く、特に、可動部ｃのトラッキング方向における動作に支障を来たすという問題がある。
【００１６】
そこで、負荷を軽減するためにフレキシブルプリント配線板ｑの長さを長くする必要があるが、フレキシブルプリント配線板ｑの長さを長くすると対物レンズ駆動装置ａの小型化を図ることができない。
【００１７】
そこで、本発明対物レンズ駆動装置及びディスクドライブ装置は、上記した問題点を克服し、当該対物レンズ駆動装置の小型化及び可動部の動作の安定化を図ることを課題とする。
【００１８】
【課題を解決するための手段】
本発明対物レンズ駆動装置は、上記した課題を解決するために、移動ベースに取り付けられるベース部と該ベース部から対物レンズの光軸方向へ突出して設けられた支持軸部とを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを設け、該可動部にフォーカシング調整時に駆動電流が供給されるフォーカシングコイルとトラッキング調整時に駆動電流が供給されるトラッキングコイルとを設け、上記固定部にフォーカシングコイル及びトラッキングコイルに対向して配置されるマグネットを取り付け、固定部と可動部にそれぞれフレキシブルプリント配線板の一部を取り付けると共にフォーカシングコイル及びトラッキングコイルに電流供給手段から駆動電流をフレキシブルプリント配線板を介して供給すると共に、マグネットに引き寄せられて可動部をフォーカシング方向及びトラッキング方向における中立位置にそれぞれ保持する磁性部材を設け、固定部と可動部とを繋ぐ中継部の幅方向が、フォーカシング方向と異なり、かつ、トラッキング方向と異なる方向に配され、フォーカシングコイルに駆動電流が供給されていないときに磁性部材による力と重力とフレキシブルプリント配線板の弾性力との釣合による可動部の固定部に対するフォーカシング方向における釣合位置を、可動部が支持軸部に対して常に一定の方向へ傾斜した状態に設定したものである。
【００１９】
また、本発明ディスクドライブ装置は、上記した課題を解決するために、対物レンズ駆動装置に、移動ベースに取り付けられるベース部と該ベース部から対物レンズの光軸方向へ突出して設けられた支持軸部とを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを設け、該可動部にフォーカシング調整時に駆動電流が供給されるフォーカシングコイルとトラッキング調整時に駆動電流が供給されるトラッキングコイルとを設け、上記固定部にフォーカシングコイル及びトラッキングコイルに対向して配置されるマグネットを取り付け、固定部と可動部にそれぞれフレキシブルプリント配線板の一部を取り付けると共にフォーカシングコイル及びトラッキングコイルに電流供給手段から駆動電流をフレキシブルプリント配線板を介して供給すると共に、マグネットに引き寄せられて可動部をフォーカシング方向及びトラッキング方向における中立位置にそれぞれ保持する磁性部材を設け、固定部と可動部とを繋ぐ中継部の幅方向が、フォーカシング方向と異なり、かつ、トラッキング方向と異なる方向に配され、フォーカシングコイルに駆動電流が供給されていないときに磁性部材による力と重力とフレキシブルプリント配線板の弾性力との釣合による可動部の固定部に対するフォーカシング方向における釣合位置を、可動部が支持軸部に対して常に一定の方向へ傾斜した状態に設定したものである。
【００２０】
従って、本発明対物レンズ駆動装置及びディスクドライブ装置にあっては、フレキシブルプリント配線板の剛性による可動部のフォーカシング方向及びトラッキング方向における動作時の負荷が小さい。
【００２１】
【発明の実施の形態】
以下に、本発明対物レンズ駆動装置及びディスクドライブ装置の実施の形態を添付図面に従って説明する。
【００２２】
ディスクドライブ装置１は、薄い箱状を為す外筐２内に所要の各部材及び各機構が配置されて成り、外筐２の前面には横長の矩形状を為す挿脱口２ａが形成されている（図１参照）。ディスク状記録媒体１００は挿脱口２ａを介して外筐２の内部に挿入され又は取り出される。
【００２３】
外筐２内にはシャーシ３が配置されている（図１参照）。シャーシ３の略中央部の下面側には図示しないスピンドルモーターが配置され、該スピンドルモーターのモーター軸にディスクテーブル４が固定されている。
【００２４】
シャーシ３には配置孔３ａが形成され、ディスクテーブル４が配置孔３ａからシャーシ３の上方へ突出されている（図１参照）。
【００２５】
シャーシ３の下面側には、リードスクリュー５とガイド軸６、６とが平行な状態で配置されている（図１参照）。シャーシ３の配置孔３ａには、光学ピックアップ７がディスクテーブル４に装着されるディスク状記録媒体１００の半径方向へ移動可能な状態で配置されている（図１参照）。
【００２６】
光学ピックアップ７は移動ベース８に所要の各部材が配置されて成る。光学ピックアップ７は、移動ベース８の一端部がリードスクリュー５に螺合されると共に移動ベース８の両端部がそれぞれガイド軸６、６に摺動自在に支持され（図１参照）、リードスクリュー５の回転によりガイド軸６、６に案内されてディスク状記録媒体１００の半径方向へ移動される。
【００２７】
対物レンズ駆動装置９は、磁性金属材料によって形成された固定部１０と該固定部１０に支持された可動部１１とを備えている（図２乃至図６参照）。
【００２８】
固定部１０は、移動ベース８の上面に取り付けられるベース部１２と該ベース部１２の両側縁からそれぞれ上方へ折り曲げられて形成されたヨーク部１３、１３とベース部１２の略中央部から上方へ突出された支持軸部１４とを有している。
【００２９】
ヨーク部１３は取付部１３ａと該取付部１３ａの前後両側縁から内側に対向するように折り曲げて形成された覆い部１３ｂ、１３ｂとから成り、該覆い部１３ｂ、１３ｂの上側に連続して係合突部１３ｃ、１３ｃが設けられている。
【００３０】
ヨーク部１３、１３の内面には、それぞれマグネット１５、１５が固定されている。マグネット１５、１５は、対向する側の面、即ち、支持軸部１４側の面がともに同極に着磁され、Ｓ極又はＮ極とされている。マグネット１５、１５は覆い部１３ｂ、１３ｂ、・・・によってヨーク部１３、１３に取り付けられる面と直交する２つの各面が覆われている（図２参照）。
【００３１】
可動部１１はボビン１６に所要の各部材が取り付けられて成る。
【００３２】
ボビン１６は本体部１７と該本体部１７から前方へ突出されたレンズホルダー部１８とを有している。
【００３３】
本体部１７は、上面部１７ａと、該上面部１７ａの両側縁から下方へ突出された側面部１７ｂ、１７ｂと、上面部１７ａの後縁から下方へ突出された後面部１７ｃとを有し、該後面部１７ｃの下縁から後方へ向けて基板取付部１７ｄが突出されている。基板取付部１７ｄの後端部の左右方向における中央部には、後方に開口された挿入用スリット１７ｅが形成されている。上面部１７ａの略中央部には下方へ突出された円筒状を為す被支持筒部１７ｆが設けられている（図５参照）。
【００３４】
本体部１７の被支持筒部１７ｆの内部空間は、被支持孔１９として形成されている（図５参照）。
【００３５】
レンズホルダー部１８には透過孔１９ａが形成され、周縁に保持突部１９ｂ、１９ｂ、１９ｂが設けられている。
【００３６】
ボビン１６の基板取付部１７ｄの前端部には丸軸状のバランサー２０が取り付けられている（図５及び図６参照）。
【００３７】
ボビン１６のレンズホルダー部１８には対物レンズ２１が保持突部１９ｂ、１９ｂ、１９ｂに周囲から押さえられた状態で保持されている。
【００３８】
ボビン１６の上面部１７ａの下面には、コイル体２２が取り付けられている（図３乃至図５参照）。コイル体２２は軸方向が上下方向となるように略角筒状に巻回されたフォーカシングコイル２３の両側部にそれぞれ前後に隣接した状態で２つずつのトラッキングコイル２４、２４、・・・が取り付けられて成る。
【００３９】
ボビン１６の被支持筒部１７ｆには、線状の磁性金属材料によって形成された磁性部材２５が取り付けられている（図３乃至図５参照）。磁性部材２５は後方側が開口された略円環状を為し、中心部を挟んで左右両側に外径が最大となる一対の突部２５ａ、２５ａが形成されている。
【００４０】
可動部１１は支持軸部１４が被支持孔１９に挿入されることにより、支持軸部１４に、その軸方向に摺動自在かつ軸回り方向に回動自在に支持される（図２、図４及び図５参照）。支持軸部１４の軸方向がディスク状記録媒体１００に対してフォーカシング調整が為されるフォーカシング方向（図２、図５及び図６に示すＦ―Ｆ方向）であり、ディスク状記録媒体１００の略半径方向がディスク状記録媒体１００に対してトラッキング調整が為されるトラッキング方向（図２、図４及び図６に示すＴ―Ｔ方向）である。
【００４１】
可動部１１が支持軸部１４に支持された状態においては、マグネット１５、１５がボビン１６の側面部１７ｂ、１７ｂの直ぐ外側に対向して位置される。
【００４２】
可動部１１が支持軸部１４に支持された状態においては、フレキシブルプリント配線板２６の一部が固定部１０と可動部１１とを繋ぐようにして取り付けられる（図３、図５及び図６参照）。
【００４３】
フレキシブルプリント配線板２６は、基材が柔軟性を有する材料によって形成され、固定部１０に取り付けられる被取付部２７と該被取付部２７から突出された導出部２８、第１の中継部２９及び第２の中継部３０とから成る（図７及び図８参照）。
【００４４】
被取付部２７には孔２７ａが形成されている。
【００４５】
導出部２８は略一定の方向に長く形成され、展開した状態で見て、先端部に４つの回路用ランド部２８ａ、２８ａ、・・・が互いに離間して設けられている（図７参照）。
【００４６】
第１の中継部２９は、展開した状態で見て、導出部２８と同じ方向へ該導出部２８と離間した状態で被取付部２７から突出され、先端部が水平方向に直角に折り曲げられるように形成されている（図７参照）。第１の中継部２９の先端部には、トラッキングコイル用のコイル用ランド部２９ａ、２９ａが互いに離間して設けられている。
【００４７】
第２の中継部３０は、展開した状態で見て、第１の中継部２９と反対方向へ被取付部２７から突出され、先端部が第１の中継部２９の先端部と同じ方向へ突出するように水平方向に直角に折り曲げられるように形成されている（図７参照）。第２の中継部３０の先端部には、フォーカシングコイル用のコイル用ランド部３０ａ、３０ａが互いに離間して設けられている。
【００４８】
トラッキングコイル用のコイル用ランド部２９ａ、２９ａ及びフォーカシングコイル用のコイル用ランド部３０ａ、３０ａは、何れも図７の展開図で見て、下面側に形成されている。
【００４９】
フレキシブルプリント配線板２６には４つの回路パターン３１、３１、３２、３２が形成されている（図７参照）。回路パターン３１、３１は一方のコイル、例えば、トラッキングコイル２４、２４、・・・用の回路パターンであり、それぞれ回路用ランド部２８ａ、２８ａとコイル用ランド部２９ａ、２９ａとの間に形成され、回路用ランド部２８ａ、２８ａから導出部２８、被取付部２７及び第１の中継部２９を経てコイル用ランド部２９ａ、２９ａに至っている。回路パターン３２、３２は他方のコイル、例えば、フォーカシングコイル２３用の回路パターンであり、それぞれ回路用ランド部２８ａ、２８ａとコイル用ランド部３０ａ、３０ａとの間に形成され、回路用ランド部２８ａ、２８ａから導出部２８、被取付部２７及び第２の中継部３０を経てコイル用ランド部３０ａ、３０ａに至っている。
【００５０】
フレキシブルプリント配線板２６は第１の中継部２９及び第２の中継部３０が、固定部１０と可動部１１とを繋ぐようにして取り付けられる（図２乃至図６参照）。
【００５１】
フレキシブルプリント配線板２６は被取付部２７が固定部１０のベース部１２の下面に取り付けられている（図５及び図６参照）。ベース部１２の下面からは支持軸部１４が僅かに下方へ突出されており、被取付部２７は孔２７ａに支持軸部１４の下端部が挿通された状態でベース部１２に取り付けられている。第１の中継部２９と第２の中継部３０は、略円弧状に湾曲され先端寄りの部分が接触した状態で可動部１１の挿入用スリット１７ｅに挿入され、コイル用ランド部２９ａ、２９ａが形成された部分とコイル用ランド部３０ａ、３０ａが形成された部分とが互いに反対方向へ屈曲された状態で基板取付部１７ｄの下面に、例えば、両面テープによって接着される（図５及び図６参照）。
【００５２】
このとき、フレキシブルプリント配線板２６の第１の中継部２９と第２の中継部３０の先端寄りの部分を挿入用スリット１７ｅに挿入し、コイル用ランド部２９ａ、２９ａが形成された部分とコイル用ランド部３０ａ、３０ａが形成された部分とを互いに反対方向へ屈曲させるだけで基板取付部１７ｄの下面に接着できるため、フレキシブルプリント配線板２６の可動部１１への取付を極めて簡単に行うことができる。
【００５３】
このようにフレキシブルプリント配線板２６が取り付けられた状態において、トラッキングコイル２４の両端部がそれぞれコイル用ランド部２９ａ、２９ａに半田付けにより接続され、フォーカシングコイル２３の両端部がそれぞれコイル用ランド部３０ａ、３０ａに半田付けにより接続される。
【００５４】
フレキシブルプリント配線板２６が基板取付部１７ｄに取り付けられた状態において、トラッキングコイル用のコイル用ランド部２９ａ、２９ａ及びフォーカシングコイル用のコイル用ランド部３０ａ、３０ａは何れもベース部１２側を向いているため、トラッキングコイル２４の両端部及びフォーカシングコイル２３の両端部をコイル用ランド部２９ａ、２９ａ、３０ａ、３０ａに容易に半田付けすることができる。
【００５５】
フレキシブルプリント配線板２６の導出部２８は固定部１０から側方へ突出され（図２及び図４参照）、回路用ランド部２８ａ、２８ａ、・・・がそれぞれ電流供給回路の各端子部に接続される。
【００５６】
上記のようにして取り付けられたフレキシブルプリント配線板２６は、第１の中継部２９及び第２の中継部３０の幅方向が、フォーカシング方向に直交し、かつ、トラッキング方向に直交するように配置されている（図２、図４、図５及び図６参照）。また、フレキシブルプリント配線板２６の第１の中継部２９と第２の中継部３０は、対物レンズ２１の光軸２１ａと支持軸部１４の中心軸１４ａを含む平面を基準として、対称に配置されている（図４乃至図６参照）。
【００５７】
固定部１０には可動部１１を覆うカバー３３が取り付けられる（図２、図３、図５及び図６参照）。カバー３３は、その天板部３４と該天板部３４の左右両側縁から下方へ突出された側板部３５、３５とが磁性金属材料によって一体に形成され、天板部３４と側板部３５、３５との連続した部分に前後に離間して係合孔３３ａ、３３ａ、・・・が形成されている。
【００５８】
カバー３３は係合孔３３ａ、３３ａ、・・・に固定部１０に設けられた係合突部１３ｃ、１３ｃ、・・・がそれぞれ係合されることにより固定部１０に取り付けられる（図２参照）。
【００５９】
以下に、ディスクドライブ装置１の動作について説明する。
【００６０】
ディスク状記録媒体１００がディスクテーブル４に装着され図示しない記録スイッチ又は再生スイッチが操作されると、スピンドルモーターの駆動によるディスクテーブル４の回転に伴ってディスク状記録媒体１００が回転される。ディスク状記録媒体１００が回転されると、移動ベース８に設けられた図示しない発光素子からレーザー光が出射され対物レンズ２１を介してディスク状記録媒体１００の記録面に照射される。
【００６１】
ディスク状記録媒体１００の記録面に照射されたレーザー光は当該記録面で反射され、移動ベース８に設けられた図示しない受光素子に入射され、光電変換されて情報信号の記録又は再生が行われる。
【００６２】
情報信号の記録又は再生が行われるときには、対物レンズ駆動装置９によってフォーカシング調整及びトラッキング調整が行われる。フォーカシング調整時には、電流供給回路からフレキシブルプリント配線板２６を介してフォーカシングコイル２３に駆動電流が供給され、対物レンズ２１を介して照射されるレーザー光のスポットがディスク状記録媒体１００の記録面に集光するように、可動部１１が支持軸部１４の軸方向に動作される。トラッキング調整時には、電流供給回路からフレキシブルプリント配線板２６を介してトラッキングコイル２４、２４、・・・に駆動電流が供給され、対物レンズ２１を介して照射されるレーザー光のスポットがディスク状記録媒体１００の記録面に集光するように、可動部１１が支持軸部１４の軸回り方向に動作される。
【００６３】
尚、可動部１１がフォーカシング方向及びトラッキング方向の何れの方向にも動作されていない状態においては、磁性部材２５がマグネット１５、１５の中央部に引き寄せられ、フォーカシング方向及びトラッキング方向における中立位置に保持されている。
【００６４】
対物レンズ駆動装置９にあっては、上記のように、フレキシブルプリント配線板２６の第１の中継部２９及び第２の中継部３０の幅方向が、フォーカシング方向に直交し、かつ、トラッキング方向に直交するように配置されている。
【００６５】
従って、可動部１１がフォーカシング方向及びトラッキング方向に動作されるときに、フレキシブルプリント配線板２６の剛性による可動部１１に対する負荷が小さく、可動部１１の感度の向上が図られフォーカシング方向及びトラッキング方向における良好な動作状態を確保することができる。
【００６６】
また、フレキシブルプリント配線板２６による可動部１１に対する負荷を軽減するためにフレキシブルプリント配線板２６の長さを長くする必要がなく、その分、対物レンズ駆動装置９の小型化を図ることができる。
【００６７】
さらに、フレキシブルプリント配線板２６の第１の中継部２９と第２の中継部３０は、対物レンズ２１の光軸２１ａと支持軸部１４の中心軸１４ａを含む平面を基準として対称に配置されているため、可動部１１をトラッキング方向における中立位置に安定して保持することができる。
【００６８】
加えて、対物レンズ駆動装置９にあっては、フレキシブルプリント配線板２６の第１の中継部２９と第２の中継部３０とに、それぞれトラッキング調整時に駆動電流が供給される回路パターン３１、３１とフォーカシング調整時に駆動電流が供給される回路パターン３２、３２とを各別に形成しているため、第１の中継部２９と第２の中継部３０において相互にノイズの影響を軽減することができる。
【００６９】
図９は、従来の対物レンズ駆動装置ａと対物レンズ駆動装置９とについて、可動部ｃ又は可動部１１をフォーカシング方向へ動作させたときの、周波数応答（振幅（ゲイン）と周波数との関係）を示したグラフ図である。破線は、従来の対物レンズ駆動装置ａについての測定値であり、実線は対物レンズ駆動装置９についての測定値である。
【００７０】
図１０は、従来の対物レンズ駆動装置ａと対物レンズ駆動装置９とについて、可動部ｃまたは可動部１１をフォーカシング方向へ動作させたときの、周波数応答（位相と周波数との関係）を示したグラフ図である。破線は、従来の対物レンズ駆動装置ａについての測定値であり、実線は対物レンズ駆動装置９についての測定値である。
【００７１】
測定の結果、振幅と周波数との関係においては、従来の対物レンズ駆動装置ａと対物レンズ駆動装置９とにおいて、大きな差異は見られなかったが（図９参照）、図１０に示す位相と周波数との関係において、低周波数領域において（領域Ａ）、従来の対物レンズ駆動装置ａでは位相の反転を示す周波数領域が広いが、対物レンズ駆動装置９では位相の反転を示す周波数領域が狭いという結果が得られた。これは、従来の対物レンズ駆動装置ａにあっては、フレキシブルプリント配線板ｑの一端部ｒがボビンｈの後面部に取り付けられていることから、フレキシブルプリント配線板ｑから可動部ｃに対して後方から支持軸部ｆに押し付ける力が付与され、可動部ｃが支持軸部ｆに線接触した状態で動作され摺動ロスが大きいが、対物レンズ駆動装置９にあっては、フレキシブルプリント配線板２６の第１の中継部２９の先端部と第２の中継部３０の先端部とが基板取付部１７ｄの下面に取り付けられていることから、フレキシブルプリント配線板２６から可動部１１に対してフォーカシング方向に延びる軸を中心とした回転力が付与され、可動部１１が支持軸部１４に対して被支持孔１９と支持軸部１４とのクリアランス分傾斜され点接触した状態で動作され摺動ロスが小さいことによるためである。
【００７２】
従って、対物レンズ駆動装置９にあっては、良好な摺動性が確保された状態で可動部１１がフォーカシング方向へ動作されることが確認された。
【００７３】
図１１は、従来の対物レンズ駆動装置ａと対物レンズ駆動装置９とについて、可動部ｃ又は可動部１１をトラッキング方向へ動作させたときの、周波数応答（振幅（ゲイン）と周波数との関係）を示したグラフ図である。破線は、従来の対物レンズ駆動装置ａについての測定値であり、実線は対物レンズ駆動装置９についての測定値である。
【００７４】
図１２は、従来の対物レンズ駆動装置ａと対物レンズ駆動装置９とについて、可動部ｃ又は可動部１１をフォーカシング方向へ動作させたときの、周波数応答（位相と周波数との関係）を示したグラフ図である。破線は、従来の対物レンズ駆動装置ａについての測定値であり、実線は対物レンズ駆動装置９についての測定値である。
【００７５】
測定の結果、位相と周波数との関係においては、従来の対物レンズ駆動装置ａと対物レンズ駆動装置９とにおいて、位相の反転を示す周波数領域がシフトされただけで大きな差異は見られなかったが（図１２参照）、図１１に示す振幅と周波数との関係において、低周波数領域において（領域Ｂ）、従来の対物レンズ駆動装置ａではゲインのレベルが低いが、対物レンズ駆動装置９ではゲインのレベルが高いという結果が得られた。これは、従来の対物レンズ駆動装置ａにあっては、可動部ｃがトラッキング方向へ動作されたときに可動部ｃに対するフレキシブルプリント配線板ｑの剛性による負荷が大きいが、対物レンズ駆動装置９にあっては、可動部１１がトラッキング方向へ動作されたときに可動部１１に対するフレキシブルプリント配線板２６の剛性による負荷が小さいことによるためである。
【００７６】
従って、対物レンズ駆動装置９にあっては、可動部１１に対するフレキシブルプリント配線板２６の剛性による負荷が小さな状態で可動部１１がトラッキング方向へ動作されることが確認された。
【００７７】
次に、可動部１１をフォーカシング方向及びトラッキング方向における中立位置に保持させるための磁性部材２５とフレキシブルプリント配線板２６との関係について説明する（図１３乃至図１６参照）。
【００７８】
図１３乃至図１６においては、マグネット１５、１５に引き寄せられる磁性部材２５による可動部１１をフォーカシング方向における中立位置に移動させる力を概念的に説明するためにバネ３６を示し、フレキシブルプリント配線板２６の弾性力により可動部１１を釣合位置に移動させる力を概念的に説明するためにバネ３７を示している。可動部１１の釣合位置は、フォーカシングコイル２３及びトラッキングコイル２４に駆動電流が供給されていないときに磁性部材２５による力と自重とフレキシブルプリント配線板２６の弾性力との釣合によって可動部１１が保持される位置である。
【００７９】
対物レンズ駆動装置９においては、可動部１１に形成された被支持孔１９と支持軸部１４との間にクリアランスがあるため、可動部１１が支持軸部１４に対してクリアランス分任意の方向へ傾斜可能な状態にあるが、この傾斜方向が可動部１１の動作中に変動すると対物レンズ駆動装置９によるフォーカシング調整及びトラッキング調整に悪影響が生じてしまう。従って、対物レンズ駆動装置９にあっては、可動部１１の動作中に傾斜方向に変動を来たさず、可動部１１が支持軸部１４に対して常に一定の方向へ傾斜した状態で動作されることが望ましい。
【００８０】
磁性部材２５によって可動部１１をフォーカシング方向における中立位置に移動させる力は、フレキシブルプリント配線板２６の弾性によって可動部１１に付与される力より大きいことから、可動部１１が支持軸部１４に対して常に一定の方向へ傾斜した状態で動作されるためには、可動部１１のフォーカシング方向における移動範囲において、常に可動部１１に固定部１０のベース部１２側に移動させる向きの力が付与されるようにフレキシブルプリント配線板２６の弾性力を設定する必要がある。従って、可動部１１のフォーカシング方向における移動範囲において、常にフレキシブルプリント配線板２６に可動部１１をベース部１２側に付勢する方向への力が生じるようにすればよいため、対物レンズ駆動装置９にあっては、上記釣合位置を、可動部１１のフォーカシング方向の移動範囲におけるベース部１２側の移動端よりもベース部１２側に設定している（図１６参照）。
【００８１】
例えば、可動部１１がフォーカシング方向における中立位置に保持されている状態（図１３参照）を基準として、フォーカシング方向における移動範囲が上下０．５ｍｍ（＋０．５ｍｍ乃至−０．５ｍｍ）である場合には、釣合位置が−０．５ｍｍよりも小さい位置になるように設定されている。
【００８２】
このように釣合位置を、可動部１１のフォーカシング方向の移動範囲におけるベース部１２側の移動端よりもベース部１２側に設定することにより、対物レンズ駆動装置９にあっては、常に可動部１１にその後端部がベース部１２側に移動される方向への力がフレキシブルプリント配線板２６から付与され、可動部１１は常に後下がりに傾斜した状態で動作される（図１３乃至図１５参照）。図１３は可動部１１がフォーカシング方向における中立位置に保持された状態を示し、図１４は可動部１１がフォーカシング方向における上方側の移動端に位置された状態を示し、図１５は可動部１１がフォーカシング方向における下方側の移動端に位置された状態を示している。
【００８３】
従って、対物レンズ駆動装置９にあっては、可動部１１が支持軸部１４に対して常に一定の方向へ傾斜した状態で動作されるため、可動部１１の動作中に傾斜方向に変動を来たすことがなく、常に可動部１１の安定した動作状態を確保することができる。
【００８４】
次に、フレキシブルプリント配線板２６の変形例であるフレキシブルプリント配線板２６Ａについて説明する（図１７及び図１８参照）。
【００８５】
フレキシブルプリント配線板２６Ａは、基材が柔軟性を有する材料によって形成され、固定部１０に取り付けられる被取付部３８、３９と被取付部３８から突出された導出部４０、第１の中継部４１及び第２の中継部４２とを有している。
【００８６】
被取付部３８、３９にはそれぞれ孔３８ａ、３９ａが形成されている。
【００８７】
導出部４０は略一定の方向に長く形成され、展開した状態で見て、先端部に４つの回路用ランド部４０ａ、４０ａ、・・・が互いに離間して設けられている（図１７参照）。
【００８８】
第１の中継部４１は、展開した状態で見て、導出部４０と同じ方向に延びるように設けられている（図７参照）。
【００８９】
第２の中継部４２は、展開した状態で見て、第１の中継部４１に対して直交する方向へ突出され被取付部３８側に位置する第１の部分４２ａと、該第１の部分４２ａに連続し第１の中継部４１と同じ方向へ延びる第２の部分４２ｂとを有している（図１７参照）。
【００９０】
被取付部３９は第２の中継部４２の第２の部分４２ｂの第１の部分４２ａ側の端部から、第１の部分４２ａを挟んで被取付部３８の反対側に突出するように設けられている。
【００９１】
第１の中継部４１の先端寄りの部分と第２の中継部４２の第２の部分４２ｂの先端寄りの部分は、架け渡し部４３によって連結されている。第１の中継部４１と第２の中継部４２とは、それぞれ先端部が水平方向に互いに近付くように直角に折り曲げられて形成されている（図１７参照）。
【００９２】
第１の中継部４１の先端部には、トラッキングコイル用のコイル用ランド部４１ａ、４１ａが形成されている。第２の中継部４２の先端部には、フォーカシングコイル用のコイル用ランド部４２ｃ、４２ｃが形成されている。
【００９３】
フレキシブルプリント配線板２６Ａには４つの回路パターン４４、４４、４５、４５が形成されている（図１７参照）。回路パターン４４、４４は一方のコイル、例えば、トラッキングコイル２４、２４、・・・用の回路パターンであり、それぞれ回路用ランド部４０ａ、４０ａとコイル用ランド部４１ａ、４１ａとの間に形成され、回路用ランド部４０ａ、４０ａから導出部４０、被取付部３８及び第１の中継部４１を経てコイル用ランド部４１ａ、４１ａに至っている。回路パターン４５、４５は他方のコイル、例えば、フォーカシングコイル２３用の回路パターンであり、それぞれ回路用ランド部４０ａ、４０ａとコイル用ランド部４２ｃ、４２ｃとの間に形成され、回路用ランド部４０ａ、４０ａから導出部４０、被取付部３８及び第２の中継部４２を経てコイル用ランド部４２ｃ、４２ｃに至っている。
【００９４】
フレキシブルプリント配線板２６Ａは第１の中継部４１及び第２の中継部４２が、固定部１０と可動部１１とを繋ぐようにして取り付けられる。
【００９５】
フレキシブルプリント配線板２６Ａは、第２の中継部４２の第１の部分４２ａの中央部が屈曲され該第１の部分４２ａが折り返され、被取付部３８と被取付部３９が重ねられた状態で固定部１０のベース部１２の下面に取り付けられている。ベース部１２の下面からは支持軸部１４が僅かに下方へ突出されており、重ねられた被取付部３８、３９は孔３８ａ、３９ａに支持軸部１４の下端部が挿通された状態でベース部１２に取り付けられる。第１の中継部４１と第２の中継部４２は略円弧状に湾曲され、架け渡し部４３が折り返されるようにして第１の中継部４１と第２の中継部４２との先端寄りの部分が接触した状態で可動部１１の挿入用スリット１７ｅに挿入され、コイル用ランド部４１ａ、４１ａが形成された部分とコイル用ランド部４２ｃ、４２ｃが形成された部分とが互いに反対方向へ屈曲された状態で基板取付部１７ｄの下面に、例えば、両面テープによって接着される。
【００９６】
このとき、フレキシブルプリント配線板２６Ａの第１の中継部４１と第２の中継部４２の先端寄りの部分とを挿入用スリット１７ｅに挿入し、コイル用ランド部４１ａ、４１ａが形成された部分とコイル用ランド部４２ｃ、４２ｃが形成された部分とを互いに反対方向へ屈曲させるだけで基板取付部１７ｄの下面に接着できるため、フレキシブルプリント配線板２６Ａの可動部１１への取付を極めて簡単に行うことができる。
【００９７】
また、フレキシブルプリント配線板２６Ａにあっては、第１の中継部４１の先端寄りの部分と第２の中継部４２の先端寄りの部分とを連結する架け渡し部４３を折り返し、第１の中継部４１の先端寄りの部分と第２の中継部４２の先端寄りの部分とを折り重ねた状態で挿入用スリット１７ｅに挿入することができるため、挿入用スリット１７ｅに第１の中継部４１と第２の中継部４２とを各別に挿入する必要がなく、基板取付部１７ｄへの取付を容易に行うことができる。
【００９８】
このようにフレキシブルプリント配線板２６Ａが取り付けられた状態において、トラッキングコイル２４の両端部がそれぞれコイル用ランド部４１ａ、４１ａに半田付けにより接続され、フォーカシングコイル２３の両端部がそれぞれコイル用ランド部４２ｃ、４２ｃに半田付けにより接続される。
【００９９】
フレキシブルプリント配線板２６Ａが基板取付部１７ｄに取り付けられた状態において、トラッキングコイル用のコイル用ランド部４１ａ、４１ａ及びフォーカシングコイル用のコイル用ランド部４２ｃ、４２ｃは何れもベース部１２側を向いているため、トラッキングコイル２４の両端部及びフォーカシングコイル２３の両端部をコイル用ランド部４１ａ、４１ａ、４２ｃ、４２ｃに容易に半田付けすることができる。
【０１００】
フレキシブルプリント配線板２６Ａの導出部４０は固定部１０から側方へ突出され、回路用ランド部４０ａ、４０ａ、・・・がそれぞれ電流供給回路の各端子部に接続される。
【０１０１】
上記のようにして取り付けられたフレキシブルプリント配線板２６Ａは、第１の中継部４１及び第２の中継部４２の幅方向が、フォーカシング方向に直交し、かつ、トラッキング方向に直交するように配置されている（図１８参照）。また、フレキシブルプリント配線板２６Ａの第１の中継部４１と第２の中継部４２は、対物レンズ２１の光軸２１ａと支持軸部１４の中心軸１４ａを含む平面を基準として、対称に配置される。
【０１０２】
以上のように、対物レンズ駆動装置９にあっては、フレキシブルプリント配線板２６Ａを用いた場合においても、可動部１１がフォーカシング方向及びトラッキング方向に動作されるときに、フレキシブルプリント配線板２６Ａの剛性による可動部１１に対する負荷が小さく、可動部１１の感度の向上が図られフォーカシング方向及びトラッキング方向における良好な動作状態を確保することができる。
【０１０３】
また、フレキシブルプリント配線板２６Ａによる可動部１１に対する負荷を軽減するためにフレキシブルプリント配線板２６Ａの長さを長くする必要がなく、その分、対物レンズ駆動装置９の小型化を図ることができる。
【０１０４】
さらに、フレキシブルプリント配線板２６Ａの第１の中継部４１と第２の中継部４２は、対物レンズ２１の光軸２１ａと支持軸部１４の中心軸１４ａを含む平面を基準として対称に配置されているため、可動部１１をトラッキング方向における中立位置に安定して保持することができる。
【０１０５】
加えて、フレキシブルプリント配線板２６Ａの第１の中継部４１と第２の中継部４２とに、それぞれトラッキング調整時に駆動電流が供給される回路パターン４４、４４とフォーカシング調整時に駆動電流が供給される回路パターン４５、４５とを各別に形成しているため、第１の中継部４１と第２の中継部４２において相互にノイズの影響を軽減することができる。
【０１０６】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１０７】
【発明の効果】
以上に記載したところから明らかなように、本発明対物レンズ駆動装置は、ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップに設けられ、ディスク状記録媒体の記録面にレーザー光が集光するようにフォーカシング調整及びトラッキング調整を行う対物レンズ駆動装置であって、上記移動ベースに取り付けられるベース部と該ベース部から対物レンズの光軸方向へ突出して設けられた支持軸部とを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、該可動部はフォーカシング調整時に駆動電流が供給されるフォーカシングコイルとトラッキング調整時に駆動電流が供給されるトラッキングコイルとを有し、上記固定部にフォーカシングコイル及びトラッキングコイルに対向して配置されるマグネットが取り付けられ、固定部と可動部にそれぞれフレキシブルプリント配線板の一部が取り付けられると共にフォーカシングコイル及びトラッキングコイルに電流供給手段から駆動電流がフレキシブルプリント配線板を介して供給されると共に、上記マグネットに引き寄せられて上記可動部をフォーカシング方向及びトラッキング方向における中立位置にそれぞれ保持する磁性部材を設け、上記固定部と上記可動部とを繋ぐ中継部の幅方向が、上記フォーカシング方向と異なり、かつ、トラッキング方向と異なる方向に配され、上記フォーカシングコイルに駆動電流が供給されていないときに上記磁性部材による力と重力と上記フレキシブルプリント配線板の弾性力との釣合による上記可動部の上記固定部に対するフォーカシング方向における釣合位置を、上記可動部が上記支持軸部に対して常に一定の方向へ傾斜した状態に設定されていることを特徴とする。
【０１０８】
従って、可動部がフォーカシング方向及びトラッキング方向に動作されるときに、フレキシブルプリント配線板の剛性による可動部に対する負荷が小さく、可動部の感度の向上が図られフォーカシング方向及びトラッキング方向における良好な動作状態を確保することができる。
【０１０９】
また、フレキシブルプリント配線板による可動部に対する負荷を軽減するためにフレキシブルプリント配線板の長さを長くする必要がなく、その分、対物レンズ駆動装置の小型化を図ることができる。また、可動部が支持軸部に対して常に一定の方向へ傾斜した状態で動作されるため、可動部の動作中に傾斜方向に変動を来たすことがなく、常に可動部の安定した動作状態を確保することができる。
【０１１０】
請求項２に記載した発明にあっては、上記フレキシブルプリント配線板の中継部の幅方向をフォーカシング方向に直交し、かつ、トラッキング方向に直交する方向としたので、可動部がフォーカシング方向及びトラッキング方向に動作されるときに、フレキシブルプリント配線板の剛性による可動部に対する負荷が極めて小さく、可動部の感度の一層の向上を図ることができる。
【０１１２】
請求項３及び請求項４に記載した発明にあっては、上記フレキシブルプリント配線板の中継部を分岐して第１の中継部と第２の中継部として設け、対物レンズの光軸と支持軸部の中心軸とを含む平面を基準として第１の中継部と第２の中継部とを対称に配置したので、可動部をトラッキング方向における中立位置に安定して保持することができる。
【０１１３】
請求項５及び請求項６に記載した発明にあっては、フレキシブルプリント配線板の第１の中継部又は第２の中継部の一方にトラッキングコイルに駆動電流を供給するためのトラッキングコイル用回路パターンを形成し、第１の中継部又は第２の中継部の他方にフォーカシングコイルに駆動電流を供給するためのフォーカシングコイル用回路パターンを形成したので、第１の中継部と第２の中継部において相互にノイズの影響を軽減することができる。
【０１１４】
本発明ディスクドライブ装置は、ディスクテーブルに装着されるディスク状記録媒体の半径方向へ移動する移動ベースを有すると共に該移動ベースに設けられた発光素子から照射されたレーザー光を対物レンズを介してディスク状記録媒体の記録面に照射する光学ピックアップを備え、該光学ピックアップに設けられた対物レンズ駆動装置によってディスク状記録媒体の記録面にレーザー光が集光するようにフォーカシング調整及びトラッキング調整が行われるディスクドライブ装置であって、上記対物レンズ駆動装置は、上記移動ベースに取り付けられるベース部と該ベース部から対物レンズの光軸方向へ突出して設けられた支持軸部とを有する固定部と、上記支持軸部の軸回り方向に回動自在かつ支持軸部の軸方向に摺動自在に支持されると共にフォーカシング調整時にディスクテーブルに装着されたディスク状記録媒体の記録面に離接する方向であるフォーカシング方向に動作されトラッキング調整時にディスクテーブルに装着されたディスク状記録媒体の略半径方向であるトラッキング方向に動作される可動部とを備え、該可動部はフォーカシング調整時に駆動電流が供給されるフォーカシングコイルとトラッキング調整時に駆動電流が供給されるトラッキングコイルとを有し、上記固定部にフォーカシングコイル及びトラッキングコイルに対向して配置されるマグネットが取り付けられ、固定部と可動部にそれぞれフレキシブルプリント配線板の一部が取り付けられると共にフォーカシングコイル及びトラッキングコイルに電流供給手段から駆動電流がフレキシブルプリント配線板を介して供給されると共に、上記マグネットに引き寄せられて上記可動部をフォーカシング方向及びトラッキング方向における中立位置にそれぞれ保持する磁性部材を設け、上記固定部と上記可動部とを繋ぐ中継部の幅方向が、上記フォーカシング方向と異なり、かつ、トラッキング方向と異なる方向に配され、上記フォーカシングコイルに駆動電流が供給されていないときに上記磁性部材による力と重力と上記フレキシブルプリント配線板の弾性力との釣合による上記可動部の上記固定部に対するフォーカシング方向における釣合位置を、上記可動部が上記支持軸部に対して常に一定の方向へ傾斜した状態に設定されていることを特徴とする。
【０１１５】
従って、可動部がフォーカシング方向及びトラッキング方向に動作されるときに、フレキシブルプリント配線板の剛性による可動部に対する負荷が小さく、可動部の感度の向上が図られフォーカシング方向及びトラッキング方向における良好な動作状態を確保することができる。
【０１１６】
また、フレキシブルプリント配線板による可動部に対する負荷を軽減するためにフレキシブルプリント配線板の長さを長くする必要がなく、その分、対物レンズ駆動装置の小型化を図ることができる。また、可動部が支持軸部に対して常に一定の方向へ傾斜した状態で動作されるため、可動部の動作中に傾斜方向に変動を来たすことがなく、常に可動部の安定した動作状態を確保することができる。
【０１１７】
請求項８に記載した発明にあっては、上記フレキシブルプリント配線板の中継部の幅方向をフォーカシング方向に直交し、かつ、トラッキング方向に直交する方向としたので、可動部がフォーカシング方向及びトラッキング方向に動作されるときに、フレキシブルプリント配線板の剛性による可動部に対する負荷が極めて小さく、可動部の感度の一層の向上を図ることができる。
【０１１９】
請求項９及び請求項１０に記載した発明にあっては、上記フレキシブルプリント配線板の中継部を分岐して第１の中継部と第２の中継部として設け、対物レンズの光軸と支持軸部の中心軸とを含む平面を基準として第１の中継部と第２の中継部とを対称に配置したので、可動部をトラッキング方向における中立位置に安定して保持することができる。
【０１２０】
請求項１１及び請求項１２に記載した発明にあっては、フレキシブルプリント配線板の第１の中継部又は第２の中継部の一方にトラッキングコイルに駆動電流を供給するためのトラッキングコイル用回路パターンを形成し、第１の中継部又は第２の中継部の他方にフォーカシングコイルに駆動電流を供給するためのフォーカシングコイル用回路パターンを形成したので、第１の中継部と第２の中継部において相互にノイズの影響を軽減することができる。
【図面の簡単な説明】
【図１】図２乃至図１８と共に本発明の実施の形態を示すものであり、本図はディスクドライブ装置の概略斜視図である。
【図２】カバーを分離して示す対物レンズ駆動装置の拡大斜視図である。
【図３】対物レンズ駆動装置の拡大分解斜視図である。
【図４】カバーを取り外した状態で示す対物レンズ駆動装置の拡大平面図である。
【図５】カバーを取り付けた状態で示す図４のＶ―Ｖ線に沿う断面図である。
【図６】対物レンズ駆動装置の拡大背面図である。
【図７】フレキシブルプリント配線板の拡大展開図である。
【図８】フレキシブルプリント配線板の各部が可動部と固定部に取り付けられるときの状態を示す拡大斜視図である。
【図９】可動部をフォーカシング方向へ動作させたときの、周波数応答（振幅と周波数との関係）を示したグラフ図である。
【図１０】可動部をフォーカシング方向へ動作させたときの、周波数応答（位相と周波数との関係）を示したグラフ図である。
【図１１】可動部をトラッキング方向へ動作させたときの、周波数応答（振幅と周波数との関係）を示したグラフ図である。
【図１２】可動部をトラッキング方向へ動作させたときの、周波数応答（位相と周波数との関係）を示したグラフ図である。
【図１３】図１４乃至図１６と共に磁性部材とフレキシブルプリント配線板との関係を説明するためのものであり、本図は可動部がフォーカシング方向における中立位置に保持されている状態を示す概念図である。
【図１４】可動部がフォーカシング方向における一方の移動端に移動された状態を示す概念図である。
【図１５】可動部がフォーカシング方向における他方の移動端に移動された状態を示す概念図である。
【図１６】可動部が釣合位置にある状態を示す概念図である。
【図１７】図１８と共にフレキシブルプリント配線板の変形例を示すものであり、本図は拡大展開図である。
【図１８】フレキシブルプリント配線板の各部が可動部と固定部に取り付けられるときの状態を示す拡大斜視図である。
【図１９】図２０と共に従来の対物レンズ駆動装置を示すものであり、本図は概略拡大平面図である。
【図２０】概略拡大断面図である。
【符号の説明】
１…ディスクドライブ装置、４…ディスクテーブル、７…光学ピックアップ、８…移動ベース、９…対物レンズ駆動装置、１０…固定部、１１…可動部、１２…ベース部、１４…支持軸部、１４ａ…中心軸、１５…マグネット、２１…対物レンズ、２１ａ…光軸、２３…フォーカシングコイル、２４…トラッキングコイル、２５…磁性部材、２６…フレキシブルプリント配線板、２９…第１の中継部、３０…第２の中継部、３１…回路パターン、３２…回路パターン、２６Ａ…フレキシブルプリント配線板、４１…第１の中継部、４２…第２の中継部、４４…回路パターン、４５…回路パターン、１００…ディスク状記録媒体
【図１】
0003912068.tif 000002
【図２】
0003912068.tif 000003
【図３】
0003912068.tif 000004
【図４】
0003912068.tif 000005
【図５】
0003912068.tif 000006
【図６】
0003912068.tif 000007
【図７】
0003912068.tif 000008
【図８】
0003912068.tif 000009
【図９】
0003912068.tif 000010
【図１０】
0003912068.tif 000011
【図１１】
0003912068.tif 000012
【図１２】
0003912068.tif 000013
【図１３】
0003912068.tif 000014
【図１４】
0003912068.tif 000015
【図１５】
0003912068.tif 000016
【図１６】
0003912068.tif 000017
【図１７】
0003912068.tif 000018
【図１８】
0003912068.tif 000019
【図１９】
0003912068.tif 000020
【図２０】
0003912068.tif 000021